(57)【要約】【課題】収納の際、スクリーンシートを所定の巻取り径で安定した状態に巻収でき、使用時の端辺からの捲れも未然に防止できるとともに、巻取り具を備えた従来のものに比べ、コスト低減や軽量化を図ることができ、スクリーン面も端まで有効活用できるマグネットスクリーンを提供せんとする。【解決手段】マグネットシート１２とスクリーンシート１１よりなるスクリーン本体１０の対向する二端辺１０ａ、１０ａのうち少なくとも一端辺１０ａに沿って、板状乃至棒状のマグネット材２０を間隔をあけて２本以上平行に配置させた吸着補助部２を設けてなる。【選択図】図１
2011008054.tif 000002
【特許請求の範囲】
【請求項１】
マグネットシートの表面側にスクリーン層を設けてなるシート状のマグネットスクリーンにおいて、対向する二端辺のうち少なくとも一端辺に沿って、板状乃至棒状のマグネット材を間隔をあけて２本以上平行に配置させた吸着補助部を設けてなることを特徴とするマグネットスクリーン。
【請求項２】
前記吸着補助部が、樹脂シート間に前記マグネット材を２本以上平行に並べて溶着封止してなり、該吸着補助部を前記端辺に沿って接着により連結してなる請求項１記載のマグネットスクリーン。
【請求項３】
前記吸着補助部が、前記平行なマグネット材の間に、前記マグネット材と略同一断面形状・断面寸法の板状乃至棒状のスペーサ部材を同じく平行に配置してなる請求項１又は２記載のマグネットスクリーン。
【請求項４】
前記吸着補助部が、前記マグネット材の長手方向に、該マグネット材と略同一断面形状・断面寸法の板状乃至棒状のスペーサ部材を連設してなる請求項１〜３の何れか１項に記載のマグネットスクリーン。
【発明の詳細な説明】
【技術分野】
【０００１】
本発明は、マグネットシートの表面側にスクリーン層を設けてなり、スチール製等の壁面に保持させて用いるシート状のマグネットスクリーンに関する。
【背景技術】
【０００２】
この種のマグネットスクリーンとしては、例えば、表面層が水性や油性のペン等で筆記し、拭き取り消去できるホワイトボードとして機能するとともに映写機等のプロジェクタ用スクリーンとしても機能し、スチール製の黒板やホワイトボードなどに貼り付けて手軽に使用できるシート状のマグネットスクリーンが実用化されている。このようなマグネットスクリーンは、使用後は通常巻き取って紐でくくるか、或いは所定の筒に入れて収納している。
【０００３】
ところで、シート状のものをただ単に巻き取って収納していたので、どうしても巻取り径が小さくなり、クラックや皺が発生して筆記性能やスクリーン性能が低下したり、スクリーン端辺に反り（カール）が生じ、使用時に端辺から捲れてしまう原因になるという問題があった。また、巻いた状態での姿勢が不安定であり、破損等が起こりやすいという課題もあった。そこでこのような問題を解決するものとして、従来、マグネットスクリーンの一端辺に沿って第１のマグネット板を設け、他端辺に沿って第２のマグネット板と巻取り具とを設け、収納の際、前記巻取り具にスクリーンシートを巻回することにより所定の巻取り径で安定した状態に収納でき、使用時には第１、第２のマグネット板で端辺の捲れも防止できるように構成したものが提案されている（特許文献１参照）。
【０００４】
しかしながら、このようなマグネットスクリーンは巻取り具を備えており、材料費や組立費等の製造コストが増大するとともに重量も重くなり、更に、巻取り具は使用時に不要なものであるにも拘わらず、このような所定径を有する筒状の巻取り具がスクリーン面の端辺に位置することとなり、プロジェクタの映像に陰が出来ることから当該端辺までスクリーン面を有効に活用することができず効率的でなく、また美観の点でもデメリットとなる。
【先行技術文献】
【特許文献】
【０００５】
【特許文献１】特開２００２−３０８４号公報
【発明の概要】
【発明が解決しようとする課題】
【０００６】
そこで、本発明が前述の状況に鑑み、解決しようとするところは、収納の際、スクリーンシートを所定の巻取り径で安定した状態に巻収でき、使用時の端辺からの捲れも未然に防止できるとともに、巻取り具を備えた従来のものに比べ、コスト低減や軽量化を図ることができ、スクリーン面も端まで有効活用できるマグネットスクリーンを提供する点にある。
【課題を解決するための手段】
【０００７】
本発明は、前述の課題解決のために、マグネットシートの表面側にスクリーン層を設けてなるシート状のマグネットスクリーンにおいて、対向する二端辺のうち少なくとも一端辺に沿って、板状乃至棒状のマグネット材を間隔をあけて２本以上平行に配置させた吸着補助部を設けてなることを特徴とするマグネットスクリーンを構成した。
【０００８】
ここで、前記吸着補助部が、樹脂シート間に前記マグネット材を２本以上平行に並べて溶着封止したものであり、該吸着補助部を前記端辺に沿って接着により連結して構成することが好ましい。
【０００９】
また、前記吸着補助部が、前記平行なマグネット材の間に、前記マグネット材と略同一断面形状・断面寸法の板状乃至棒状のスペーサ部材を同じく平行に配置したものも好ましい。
【００１０】
更に、前記吸着補助部が、前記マグネット材の長手方向に、該マグネット材と略同一断面形状・断面寸法の板状乃至棒状のスペーサ部材を連設したものも好ましい実施例である。
【発明の効果】
【００１１】
以上にしてなる本願発明に係るマグネットスクリーンによれば、対向する二端辺のうち少なくとも一端辺に沿って、板状乃至棒状のマグネット材を間隔をあけて２本以上平行に配置させた吸着補助部を設けたので、該吸着補助部から巻き始める際に前記マグネット材の配置間隔及びマグネット材の幅によって巻き半径が規制され、小さく巻きすぎることを防止できるとともに、吸着補助部が芯となって巻いた状態の姿勢が安定し、破損等が起こりにくいものとすることができる。
【００１２】
しかも、従来のような所定径の筒状の巻取り具を端辺に備えたものに比べ、複数のマグネット材が相互作用することにより端辺の吸着補助の機能と巻取り時の芯としての機能を兼用するため、格段にコスト低減ならびに軽量化を図ることができ、該巻取り具がスクリーン面の端部に位置しないのでスクリーン面も有効に活用できることとなる。さらに、巻取り具のようなスクリーン面上に突出するものが殆どなく、寧ろ単なるシートに比べても縁取りのアクセントが生じ、美観の点でも好ましいものとすることができる。また、前記吸着補助部は２本以上のマグネット材を備えているので、端部の跳ね上がりもより確実に防止できる。
【００１３】
また、前記吸着補助部が樹脂シート間に前記マグネット材を２本以上平行に並べて溶着封止したものであり、該吸着補助部を前記端辺に沿って接着により連結してなるので、マグネット材を１本ずつ端辺に固定するものに比べて効率よく製作でき、しかもマグネット材同士を無理に拘束せず、スムーズな巻収／展開時の動きが実現される。
【００１４】
また、前記吸着補助部が、前記平行なマグネット材の間に、前記マグネット材と略同一断面形状・断面寸法の板状乃至棒状のスペーサ部材を同じく平行に配置してなるので、必要最小限の吸着補助機能を付与しつつ、マグネット材と異なるスペーサ部材がマグネット材と同様、所定の巻き半径の芯を形成するように機能し、比較的高価で重くなるマグネット材の代わりに吸着補助部に配置することで、材料費の節約、軽量化などを図ることが可能となる。
【００１５】
また、前記吸着補助部が、前記マグネット材の長手方向に、該マグネット材と略同一断面形状・断面寸法の板状乃至棒状のスペーサ部材を連設してなるので、上記同様、必要最小限の吸着補助機能を付与しつつ、マグネット材と異なるスペーサ部材がマグネット材と同様、所定の巻き半径の芯を形成するように機能するとともに、材料費の節約、軽量化などを図ることが可能となる。
【図面の簡単な説明】
【００１６】
【図１】本発明の第１実施形態に係るマグネットスクリーンを示す斜視図。
【図２】（ａ）は同じくマグネットスクリーンの吸着補助部を示す断面図、（ｂ）は吸着補助部の変形例を示す断面図、（ｃ）は吸着補助部の他の変形例を示す断面図。
【図３】同じくマグネットスクリーンを吸着補助部から巻収しはじめる様子を示す斜視図。
【図４】同じくマグネットスクリーンを使用時に展開させている様子を示す側面図。
【図５】（ａ），（ｂ）は吸着補助部の更に他の変形例を示す断面図。
【図６】（ａ）は第２実施形態に係るマグネットスクリーンを示す斜視図、（ｂ）はその吸着補助部を示す断面図。
【発明を実施するための形態】
【００１７】
次に、本発明の実施形態を添付図面に基づき詳細に説明する。
【００１８】
図１は、本発明に係るマグネットスクリーンの全体構成を示す斜視図であり、図１〜５は第１実施形態、図６は第２実施形態を示し、図中符号１はマグネットスクリーン、２は吸着補助部、１０はスクリーン本体、２０はマグネット材をそれぞれ示している。
【００１９】
本発明のマグネットスクリーン１は、図１及び図２（ａ）に示すように、マグネットシート１２の表面側にスクリーン層を設けてなるシート状のマグネットスクリーンであって、前記マグネットシート１２とスクリーン層よりなるスクリーン本体１０の対向する二端辺１０ａ、１０ａのうち少なくとも一端辺１０ａに沿って、板状乃至棒状のマグネット材２０を間隔をあけて２本以上平行に配置させた吸着補助部２を設けたものであり、これにより巻収の際、吸着補助部２の平行なマグネット材２０同士の干渉によって巻き半径が規制され、当該吸着補助部２が巻取り時の芯としての機能するとともに、展開して使用の際には端辺を平行なマグネット片２０で確実に壁面に吸着させ、捲れ等を防止することを特徴としている。
【００２０】
本例では、表面のスクリーン層がマーカーで文字等を書き、消すことができるホワイトボードとしても機能し、学校教室や企業会議室において黒板や白板等のスチール製の壁面Ｗに取り付け、プロジェクターのスクリーンとして、またホワイトボードとして手軽に使用できる携帯可能な可撓性マグネットスクリーンである。スクリーン本体１０の端辺１０ａに設けられる吸着補助部２は単に複数本のマグネット材２０を並べたものであるため、コスト低減・軽量化が図れ、スクリーン面も邪魔にならず、スッキリとした縁取り部として美観上も好ましいものとなり、特に白色系のスクリーン面に対し、縁部の吸着補助部２を着色してカラフルなアクセントを付することが好ましい例となる。
【００２１】
尚、以下の実施形態においては、スクリーン本体１０の上下の端辺１０ａにそれぞれマグネット材２０を２本以上平行に配置した吸着補助部２を設けた例について説明するが、本発明は、左右横側の端辺にそれぞれ設けるものや、上下又は左右の対向する二端辺のうち、一方の端辺にのみ吸着補助部２を設け、他方には何も設けないもの、或いは他方にはマグネット材２０が１列のみ設けた吸着補助部を設けたものなど、種々の形態を含むものである。一方の端辺にのみマグネット材２０を２本以上平行に配置した吸着補助部２を設ける場合には、当該端辺から巻き始めることで、同様の効果を奏することができる。
【００２２】
スクリーン層は、平面視長方形等の矩形のマグネットシート１２の表面側に、同一形状・寸法のスクリーンシート１１を貼り合せて構成されている。スクリーン層（スクリーンシート１１）やマグネットシート１２は、従来から公知のものを広く採用でき、たとえばマグネットシート１２の表面側にスクリーン層を形成する白色樹脂等の素材を塗布してスクリーン層を形成してもよい。マグネットシート１２は、たとえば合成ゴム又は合成樹脂にフェライト磁石等の磁石粉を混ぜて固めた可撓性を有するシート状マグネットを用いることができる。スクリーンシート１１は、液晶プロジェクタからの映像を映し出すスクリーンであり、たとえば白色の樹脂フィルムシートを使用できる。
【００２３】
吸着補助部２は、図２（ａ）に示すように、ポリオレフィン系樹脂や塩化ビニル樹脂などの樹脂シート２１、２２の間に、マグネット材２０を２本以上平行に並べた状態で溶着封止してなるものであり、該吸着補助部２の端部をスクリーン本体１０の端辺１０ａに両面テープ２５で接着することで連結されている。より具体的には、図面下側の樹脂シート２２の上に３本のマグネット材２０を間隔をおいて平行に配置し、その上から樹脂シート２１を各マグネット材２０を覆うように被せ、各マグネット材２０の周囲の両樹脂シート２１、２２が重なる部分を互いに溶着することにより、各マグネット材２０が溶着部２４を介して前記間隔を保ったまま分け隔てられた構造とされている。本例では端部を両面テープ２５で接着しているが、接着剤等で接着するものなど、その他の接着／連結手段でもよい。
【００２４】
樹脂シート２１、２２間の溶着は、高周波溶着やインパルス溶着、熱板溶着、その他の公知の樹脂溶着方法を適宜用いることができ、溶着以外に接着剤等で接合するものもなどその他の接着手段を採用することも勿論できる。また、本例では平面状の樹脂シート２２の上に配置したマグネット材２０を覆うように樹脂シート２１を凹凸状に被覆し、溶着しているが、図２（ｂ）に示すように双方の樹脂シート２１、２２を対称に溶着したものも好ましい。これら樹脂シートはマグネット材２０が露出せずに美観を向上させるとともに巻き芯として機能する際の保持強度並びに屈曲性を維持する機能を有するが、このようにマグネット材２０を２枚の樹脂シート２１、２２で挟み込むものに何ら限定されず、シート材を成形する時にマグネット材２０をインサートして一体成形したものや、金属、樹脂等のシート材の表面にマグネット材２０を接着したものでもよい。この場合、予めマグネット材２０を別途樹脂材等でコーティングしておけば良好な美観を維持できる。
【００２５】
また、本例では３本のマグネット材２０を平行に設けているが、必要な吸着強度に応じてマグネット材を２本或いは４本以上並べたものでもよく、特に、吸着強度は少ないマグネット材で十分であるが、巻収の際の巻き芯として十分に機能させるために列数が必要となる場合には、図２（ｃ）に示すように２本のマグネット材２０の間に厚紙等で構成されたスペーサ部材２３を同じく平行に配置させることも、材料コスト低減や軽量化が図れる点で好ましい実施例である。更に、同様の考え方で、図６の第２実施形態で説明するように、同一列の中においても、マグネット材として短いもの２０Ａを複数配置し、その隙間に上記同様のスペーサ部材２３Ａを配置させたものも好ましい実施例となる。これらスペーサ部材２３（２３Ａ）は、マグネット材２０（２０Ａ）とともに巻き芯として機能するべく、マグネット材２０（２０ａ）と略同一断面形状・断面寸法の板状乃至棒状の部材とされる。
【００２６】
スペーサ部材２３は特にその素材は限定されず、上記した紙製のもの以外に、例えばアルミニウム等の軽金属や合成樹脂、発泡樹脂、合成ゴム、エラストマー等よりなるものでもよく、その構造も中空としたものなど種々のものを採用できる。マグネット材２０は、板状や棒状のフェライト磁石やアルニコ磁石、希土類磁石等を広く採用でき、硬質のもの以外に、スクリーン本体１０よりも屈曲性の小さいものであれば軟質のマグネットでもよい。マグネット材２０やスペーサ部材２３の断面形状は、本例のように矩形の板状のものに何ら限定されず、円形や楕円形、三角形その他の形状にすることもでき、特に、図５に示すように上端角部を落とした多角形形状や半円形状とすることで、平行なマグネット材２０間の隙間を小さくして同じ巻き半径が実現でき、吸着補助部２の幅を小さくして全体をよりコンパクトに構成することが可能となる。
【００２７】
図３は、本実施形態のマグネットスクリーン１の巻き取りを開始した状態を示す説明図であり、このように吸着補助部２のマグネット材２０の凸部分が互いに干渉して所定径が維持され、小さく巻きすぎることなく安定した姿勢に巻き取ることが可能とされている。また、巻収したマグネットスクリーン１を再度使用する場合には、図４に示すように、スクリーン本体１０の片側の吸着補助部２を壁面Ｗに確実に吸着させたうえで、巻収部分を壁面Ｗに沿って回転させてスクリーン本体１０を展張することにより壁面Ｗに取り付け、さらに巻き芯となっていた反対側の吸着補助部２を壁面Ｗに吸着させることで取付を完了する。この際、最初に付着させた一端辺側の吸着補助部２が複数本のマグネット材２０により壁面Ｗに強力に付着するため、手は放しても巻収部分が自ら自重で回転して展開し、壁面Wへの取り付けは非常に楽に行なうことができるのである。
【００２８】
次に、図６に基づき、本発明の第２実施形態を説明する。
【００２９】
本実施形態は、図６（ａ）,（ｂ）に示すように、吸着補助部２として吸着強度は少ないマグネット材で十分であるが、巻収の際の巻き芯として十分に機能させるために列数が必要となる場合に、マグネット材２０Ａを有する列の間にスペーサ部材２３を同じく平行に配置させ、更に、マグネット材を有する列の中においても、マグネット材として短いもの２０Ａをスクリーンの捲れが生じやすい左右両端部と、中央部分の３箇所にそれぞれ配置し、その間の２箇所に間を塞ぐようにして、同様のスペーサ部材２３Ａを配置させたものである。スペーサ部材２３、２３Ａは、マグネット材２０Ａと略同一断面形状・断面寸法の板状乃至棒状の部材とされ、その素材は上記第１実施形態と同様であり、材料コストの低減、軽量化を図ることが可能である。マグネット材２０Ａとスペーサ部材２３Ａの間には隙間があってもよい。
【００３０】
以上、本発明の実施形態について説明したが、本発明はこうした実施例に何ら限定されるものではなく、平行に配置されるマグネット材の断面形状、寸法を異なるものとしたり、マグネット材とスペーサ部材の断面形状、寸法を異なるものとすることも含まれ、また、上記したマグネット材２０、２０Ａやスペーサ部材２３、２３Ａを樹脂シート２１，２２を用いることなくスクリーン本体１０の縁部に直接接着したもの、例えば、スクリーンシート１１よりも延伸して設けられたマグネットシート１２の縁端部において、スクリーンシート１１と同一の面に取り付けられるものなど、本発明の要旨を逸脱しない範囲において種々なる形態で実施し得ることは勿論である。
【符号の説明】
【００３１】
１  マグネットスクリーン
２  吸着補助部
１０  スクリーン本体
１０ａ  端辺
１１  スクリーンシート
１２  マグネットシート
２０，２０Ａ  マグネット材
２１，２２  樹脂シート
２３  スペーサ部材
２３Ａ  スペーサ部材
２４  溶着部
２５  両面テープ
Ｗ  壁面
【図１】
2011008054.tif 000003
【図２】
2011008054.tif 000004
【図３】
2011008054.tif 000005
【図４】
2011008054.tif 000006
【図５】
2011008054.tif 000007
【図６】
2011008054.tif 000008